(57)【特許請求の範囲】
【請求項１】
カメラの光学式ファインダの光路上に設けられ、該光路を遮断自在なシャッタと、
撮像する画像を表示するモニタと、
前記モニタを作動させる時は前記シャッタを閉成して前記光路の遮断を行い、前記モニタを作動させない時は前記シャッタを開放して前記光路の遮断を解除する切換手段と、を備え、
前記モニタはカメラ本体に対して開閉自在に配設された液晶モニタであり、前記切換手段は前記液晶モニタの開閉動作に基づいて前記シャッタを駆動するとともに該液晶モニタをオンオフし、
前記光学式ファインダは焦点距離の変更範囲が撮影光学系の焦点距離の変更範囲よりも小さいズームファインダであり、前記シャッタを開放した時は、前記撮影光学系の焦点距離の変更範囲を前記光学式ファインダの焦点距離の変更範囲にほぼ一致させることを特徴とするカメラ。
【請求項２】
前記モニタは閉成時にその表示画面がカメラ本体によって遮蔽される請求項１に記載のカメラ。
【請求項３】
前記光学式ファインダは撮影光学系の焦点距離を変更するズームモータによって駆動されるズームカムを有し、前記撮影光学系の焦点距離が前記光学式ファインダの焦点距離の変更範囲を越えて変更される期間中、前記ズームカムは前記光学式ファインダの焦点距離が最大位置で静止するようにカム面が形成されていることを特徴とする請求項２に記載のカメラ。
【請求項４】
前記モニタを作動させて前記撮影光学系の焦点距離が前記光学式ファインダの焦点距離の変更範囲を越えて変更されている時に該モニタの作動を停止させると、前記撮影光学系の焦点距離は光学式ファインダの現在の焦点距離とほぼ一致するように制御される請求項３に記載のカメラ。
【請求項５】
前記シャッタを一端部に回動軸を設けて回動自在としたほぼ平板形状のシャッタ板により構成し、前記シャッタ板が前記光路を遮るシャッタ閉状態と、前記シャッタ板が前記光路を遮らないシャッタ開状態とに回動されることを特徴とする請求項１ないし請求項４のいずれかに記載のカメラ。
【請求項６】
前記シャッタを開閉自在なシャッタ膜により構成し、前記シャッタ膜が前記光路を遮るシャッタ閉状態と、前記シャッタ膜が前記光路を遮らないシャッタ開状態とに作動されることを特徴とする請求項１ないし請求項４のいずれかに記載のカメラ。
【請求項７】
前記シャッタを電気信号のオンオフにより光線を透過又は遮断する液晶透過板により構成し、前記液晶透過板が前記光路を遮るシャッタ閉状態と、前記液晶透過板が前記光路を遮らないシャッタ開状態とに切り換えられることを特徴とする請求項１ないし請求項４のいずれかに記載のカメラ。
【発明の詳細な説明】
【０００１】
【産業上の利用分野】
本発明はカメラに係り、特にファインダとして使用可能なモニタと光学式ファインダとを備えたカメラに関する。
【０００２】
【従来の技術】
近年、カメラによる撮影をより簡便に行うことができるように、可変焦点レンズ装置を搭載し、焦点距離を適宜に変更して撮影できるカメラが普及している。特にビデオカメラでは、焦点距離の短焦点距離と長焦点側との比が１０倍になるいわゆる１０倍ズームの可変焦点レンズ装置が用いられることがある。
【０００３】
また、ビデオカメラでは、撮影されている画像を映し出す液晶モニタを備えたものが普及している。すなわち、上記カメラでは、被写体の像は撮影レンズを透過してＣＣＤ等の撮像素子にとらえられ、この被写体像が上記液晶モニタに表示されるので、撮影者はこの液晶モニタの画像を見ながら撮影を行うことができる。
【０００４】
ところで、上記液晶モニタは多くの電力を消費するので、長時間の撮影に液晶モニタを用いてはバッテリーの消耗を早めてしまうおそれがある。このため、上記カメラを、上記液晶モニタと共に光学式ファインダも備えた構造とすることが考えられる。これにより、電力の消費を抑えたい場合は、上記液晶モニタを使用せずに光学式ファインダを利用することができ、電力の消費量が低減される。
【０００５】
また、液晶モニタは画面の輝度が低いため、屋外の撮影では外光の影響で画面が見づらい場合があり、この場合も光学式ファインダの方が使いやすい。
【０００６】
【発明が解決しようとする課題】
しかしながら、ファインダとして使用可能な液晶モニタと光学式ファインダとを備えたカメラにおいて、光学式ファインダを使用する場合には液晶モニタを消すことにより省電力化を図ることができるが、液晶モニタを消し忘れたり、あるいは省電力化のために液晶モニタを消すという操作を積極的に行わない場合があり、この場合には省電力化を図ることができない。
【０００７】
また、民生用の光学式ファインダは、コスト、大きさの点で通常３倍程度に制限されるが、撮影レンズとしては例えば１０倍等の高倍率のものが要望されている。そして、光学式ファインダの焦点距離の変更範囲と撮影レンズの焦点距離の変更範囲が異なると、１０倍ズームの撮影レンズの焦点距離を変更した時に上記光学式ファインダの焦点距離では補いきれないおそれがある。このため、撮影者が上記光学式ファインダを覗いて撮影をしていると、実際に撮影される画角の画像を確認することができないので、撮影レンズの１０倍ズームを有効に活用することが困難となる。
【０００８】
一方、液晶モニタの使用時に上記光学式ファインダも同時に使用すると、該光学式ファインダの焦点距離の変更範囲を越えた焦点距離で撮影が行われた時に、該光学式ファインダの示す画像と前記液晶モニタの表示する画像とが異なることがある。この場合、撮影者が困惑して、円滑な撮影作業が阻害されるおそれがある。
【０００９】
本発明はこのような事情に鑑みてなされたもので、ファインダとして使用可能なモニタと光学式ファインダとの両方を備えたカメラにおいて、モニタと光学式ファインダとの使い分けを良好に行うことができ、かつ省電力化及び撮影レンズの可変焦点レンズ装置の性能を十分に活用できるカメラを提供することを目的とする。
【００１０】
【課題を解決するための手段】
本発明は前記目的を達成するために、カメラの光学式ファインダの光路上に設けられ、該光路を遮断自在なシャッタと、撮像する画像を表示するモニタと、前記モニタを作動させる時は前記シャッタを閉成して前記光路の遮断を行い、前記モニタを作動させない時は前記シャッタを開放して前記光路の遮断を解除する切換手段と、を備え、前記モニタはカメラ本体に対して開閉自在に配設された液晶モニタであり、前記切換手段は前記液晶モニタの開閉動作に基づいて前記シャッタを駆動するとともに該液晶モニタをオンオフし、
前記光学式ファインダは焦点距離の変更範囲が撮影光学系の焦点距離の変更範囲よりも小さいズームファインダであり、前記シャッタを開放した時は、前記撮影光学系の焦点距離の変更範囲を前記光学式ファインダの焦点距離の変更範囲にほぼ一致させることを特徴としている。
【００１１】
また、前記モニタは閉成時にその表示画面がカメラ本体によって遮蔽されるように構成されている。
さらに、前記光学式ファインダは撮影光学系の焦点距離を変更するズームモータによって駆動されるズームカムを有し、前記撮影光学系の焦点距離が前記光学式ファインダの焦点距離の変更範囲を越えて変更される期間中、前記ズームカムは前記光学式ファインダの焦点距離が最大位置で静止するようにカム面が形成されている。また、前記モニタを作動させて前記撮影光学系の焦点距離が前記光学式ファインダの焦点距離の変更範囲を越えて変更されている時に該モニタの作動を停止させると、前記撮影光学系の焦点距離は光学式ファインダの現在の焦点距離とほぼ一致するように制御される。
【００１２】
また、前記シャッタを一端部に回動軸を設けて回動自在としたほぼ平板形状のシャッタ板により構成し、前記シャッタ板が前記光路を遮るシャッタ閉状態と、前記シャッタ板が前記光路を遮らないシャッタ開状態とに回動されることを特徴としている。
または、前記シャッタを開閉自在なシャッタ膜により構成し、前記シャッタ膜が前記光路を遮るシャッタ閉状態と、前記シャッタ膜が前記光路を遮らないシャッタ開状態とに作動されることを特徴としている。
【００１３】
若しくは、前記シャッタを電気信号のオンオフにより光線を透過又は遮断する液晶透過板により構成し、前記液晶透過板が前記光路を遮るシャッタ閉状態と、前記液晶透過板が前記光路を遮らないシャッタ開状態とに切り換えられることを特徴としている。
また、カメラの光学式ファインダと、カメラ本体に対して開閉自在に配設され撮像する画像を表示する液晶モニタと、前記液晶モニタの開閉動作に基づいて該液晶モニタをオンオフするモニタ制御手段とを備えたことを特徴としている。
【００１４】
【作用】
本発明によれば、モニタが作動している場合は、光学式ファインダのシャッタが閉成され、光学式ファインダの光路が遮断される。そして、撮影者は上記モニタにより撮影される画像を確認しながら撮影を行うことになるが、光学式ファインダを覗いたとしても光路が遮断されているので被写体をとらえることはできない。一方、上記モニタが作動されていない場合は、光学式ファインダのシャッタが開放される。このため、光学式ファインダを使用することができ、撮影者は光学式ファインダを覗きながら撮影を行うことができる。
【００１５】
また、前記モニタとして液晶モニタをカメラ本体に対して開閉自在に配設することにより、この液晶モニタの開閉動作に基づいて光学式ファインダと液晶モニタとの切換え、及び液晶モニタのオンオフを自動的に行うことができる。さらに、液晶モニタを閉じると、その表示画面がカメラ本体によって遮蔽されるため、モニタ画面を保護することができる。
【００１６】
ここで、撮影光学系の焦点距離の変更範囲が光学式ファインダの焦点距離の変更範囲よりも大きければ、該光学式ファインダの焦点距離の変更範囲に合わせて、撮影光学系の焦点距離の変更範囲が縮小される。このため、撮影光学系の焦点距離の変更範囲のうち、上記光学式ファインダの焦点距離の変更範囲以外の焦点距離につていは、撮影ができないように制限される。
【００１７】
例えば、撮影光学系が１０倍のズームレンズで、光学ファインダが３倍のズームファインダであれば、上記３倍の範囲に撮影光学系の焦点距離が縮小される。そして、それ以外の焦点距離には変更されず、撮影は行われない。なお、このズームファインダは、撮影光学系の焦点距離を変更するズームモータによって、撮影光学系とともにズーム動作される。
【００１８】
また、前記シャッタが、一端部に回動軸を設けて回動自在としたほぼ平板形状のシャッタ板により構成されている場合は、このシャッタ板の回動により、該シャッタ板が光路上に現出して光路を遮る状態と、シャッタ板が光路上から退避して光路が連続する状態とに変化してシャッタの開閉が行われる。さらに、前記シャッタが開閉自在なシャッタ膜により構成されている場合は、このシャッタ膜の開閉により、該シャッタ膜が光路を遮る状態と遮らない状態とに切り換えられてシャッタの開閉が行われる。さらにまた、前記シャッタが液晶透過板により構成されている場合は、電気信号のオンオフにより、該液晶透過板が光路を遮る状態と遮らない状態とに切り換えられてシャッタの開閉が行われる。
【００１９】
【実施例】
以下添付図面に従って本発明に係るカメラの好ましい実施例を詳説する。
図１及び図２はそれぞれ本発明に係るカメラを前面側及び裏面側から見た斜視図で、図３はこのカメラの平面図であり、それぞれ液晶モニタが開放されている状態に関して示している。
【００２０】
このカメラはカメラ一体型ＶＴＲで、カメラ前後方向（図１上の矢印ＡＢ方向）に薄いほぼ直方体の外観形状を有している。図１に示すように、撮影レンズ１０、光学式ファインダ１２及びステレオマイク１４はカメラ本体の上部に併設されている。また、カメラ本体の頂部には液晶モニタ１６が開閉自在に配設されている。尚、１８は８ミリカセットが着脱されるＶＴＲデッキ部、２０はサイドグリップ部、２２は撮影ボタンである。
【００２１】
撮影レンズ１０は、例えば焦点距離3.3 ｍｍ〜３３ｍｍの１０倍ズーム用のズームレンズであり、ズームボタン２４（図２参照）の操作により電動で焦点距離が連続的に可変される。
光学式ファインダ１２は、例えば焦点距離４ｍｍ〜１２ｍｍの３倍ズーム用のズームファインダであり、少なくとも焦点距離が調整できる範囲内では、撮影範囲と視野範囲が一致するように撮影レンズ１０の焦点距離の変更に応じてその焦点距離が調整される。なお、上記撮影レンズ１０及び光学式ファインダ１２の詳細については後述する。
【００２２】
ＶＴＲデッキ部１８は、図示しない回転ヘッドドラム、テープローディング機構、テープ給送機構等を含み、前記撮影レンズ１０によって撮影した被写体を示すビデオ信号やステレオマイク１４によって検出したオーディオ信号を８ミリカセットのビデオテープに磁気記録再生する。尚、２６はカセットの挿入及び取出時に開閉されるカセット蓋である。
【００２３】
サイドグリップ部２０は右手で把持できる形状に形成されており、カメラ前面には指掛かり部３０が形成され、カメラ裏面には図２に示すように親指及び親指の付け根部分が位置する凹部３２が形成されている。
撮影ボタン２２はカメラ前面に配設され、上記サイドグリップ部２０を把持する右手の人指し指によって操作される。また、ズームボタン２４は右手の親指によって操作できる位置に配設されている。
【００２４】
一方、図２に示すようにカメラの裏面には、光学式ファインダ１２のアイカップの下側に隣接して液晶表示部３４が配設され、更に、その下方にはバッテリー３６が装着されている。また、モニタ開閉ボタン３８、電源スイッチ４０、リモコン受光部４２等が設けられている。さらに、カメラ本体の側部には、視度調整つまみ４４、バッテリーイジェクトボタン４６、カセットイジェクトボタン４８が設けられている。
【００２５】
ところで、液晶モニタ１６は、画像再生時のモニタとして機能するとともに、撮影時のファインダとして機能するもので、カメラ本体に対してヒンジ部１６Ａを介して開閉自在に配設され且つ電気的に接続されており、閉成時にはカメラ本体の各面と面一となるように形成されている。
また、この液晶モニタ１６を開放すると、図３に示すようにカメラ本体の頂部に設けられている操作パネル部５０が露出し、各種のボタン群が操作可能になる。尚、５２は撮影ボタン（ダブル／シングル）切換えスイッチ、５４はネガフイルム（切／入）スイッチ、５６はスポーツモード（切／入）スイッチ、５８はモニタ（切／入）スイッチ、６０は明るさ調節つまみ、６２は音量調節つまみ、６４はスピーカ、６６はカメラモードとＶＴＲモードとを切り換えるモード切換ボタン、６８はＶＴＲモード時等において、再生、停止、早送り、巻戻し等を指令するボタン群である。また、７０は液晶モニタ側のロック爪１６Ｂが入るロック孔である。
【００２６】
次に、撮影レンズ１０及び光学式ファインダ１２について詳説する。
図４に示すように、撮影レンズ１０は、主としてフロントレンズ（固定レンズ）１００、バリエータレンズ１０２、固定レンズ１０４、１０８、フォーカスレンズ１０６により構成されており、バリエータレンズ１０２及びフォーカスレンズ１０６はそれぞれガイド棒１１０によって光軸方向に移動自在に案内されている。
【００２７】
上記バリエータレンズ１０２はズームモータ１１２からギア１１４、１１６及びズームカム１１８を介して伝達される駆動力によって光軸方向に駆動され、フォーカスレンズ１０６はフォーカスモータ１２０からリードスクリュー１２２及びナット１２４を介して伝達される駆動力によって光軸方向に駆動される。
上記ズームモータ１１２はズームボタン２４の操作に応じて正転又は逆転駆動される。すなわち、図６に示すようにズームボタン２４からテレ方向又はワイド方向を示す信号がカメラ制御用マイコン１３０に入力されると、カメラ制御用マイコン１３０は、ズーム信号をズームドライバ１３２を介してズームモータ１１２に出力し、ズームモータ１１２を正転又は逆転駆動する。このズームモータ１１２の駆動によりバリエータレンズ１０２は光軸方向に前進又は後退する。なお、バリエータレンズ１０２の位置（ズーム位置）はズームエンコーダ１３３によって検出され、そのズーム位置を示す信号はカメラ制御用マイコン１３０に加えられるようになっている。
【００２８】
一方、フォーカスモータ１２０はバリエータレンズ１０２の位置（ズーム位置）及び被写体距離に応じて駆動される。すなわち、フォーカスレンズ１０６はバリエータレンズ１０２によって変倍された被写体像がＣＣＤ等の撮像素子（以下、ＣＣＤという）１４０に結像されるように駆動されるとともに、コントラスト法によって最もよい像を結ぶレンズ位置となるように駆動される。
【００２９】
ここで、フォーカスレンズ１０６の制御について詳述する。
まず、フォーカスレンズ１０６の位置は、フォーカスレンズ１０６のホームポジションを検出するホームポジションセンサ１３６の出力と、フォーカスモータ（パルスモータ）１２０へのパルス数とによって検出できるようになっている。すなわち、ホームポジションセンサ１３６は、フォーカスレンズ１０６がホームポジション（このホームポジションは、被写体距離が無限遠で且つバリエータレンズ１０２がワイド端にあるときに、被写体像をＣＣＤ１４０に結像させるために必要なフォーカスレンズ１０６の位置）に達すると、検出信号をカメラ制御用マイコン１３０に出力する。カメラ制御用マイコン１３０は、フォーカスドライバ１３４を介してフォーカスモータ１２０に出力するパルス信号の数を、ホームポジションセンサ１３６から検出信号を入力した位置を基準にしてカンウトし、そのカウント値からフォーカスレンズ１０６の位置を検出している。また、カメラ制御用マイコン１３０は、無限遠、１ｍ、１０ｍｍ等の被写体の距離別に、各ズーム位置に対するフォーカスレンズ１０６の位置（パルス数）を示すルックアップテーブルを有しており、このルックアップテーブルを使用してバリエータレンズ１０２の位置（ズーム位置）に応じた所要の位置になるようにフォーカスレンズ１０６を制御する。
【００３０】
また、撮影レンズ１０を介してＣＣＤ１４０の受光面に結像された被写体光は、各センサで所定時間電荷蓄積され、光の強さに応じた量の信号電荷に変換される。このようにして蓄積された信号電荷は、図示しないＣＣＤ駆動回路から加えられる所定周期のリードゲートパルスによってシフトレジスタに読み出され、レジスタ転送パルスによって画像信号として順次読み出される。
【００３１】
このようにしてＣＣＤ１４０から読み出された画像信号は、ＡＧＣ回路１４２及びＡ／Ｄ変換器１４４を介して１０ビットのデジタル画像信号に変換されたのち、図示しない信号処理回路を介して液晶モニタ１６やＶＴＲデッキ部１８に出力されるとともに、８ビットに非線形圧縮するビット圧縮部１４６を介してハイパスフィルタ部１４８及び測光部１５０に出力される。
【００３２】
ハイパスフィルタ部１４８は入力するデジタル画像信号の高周波成分を抽出して評価値計算部１５２に出力し、評価値計算部１５２は入力信号を積分平均して合焦状態を評価するための評価値を計算し、その評価値をカメラ制御用マイコン１３０に出力する。そして、カメラ制御用マイコン１３０は入力する評価値が最大になるようにフォーカスレンズ１０６を制御する。
【００３３】
一方、測光部１５０は入力するデジタル画像信号から画面の明るさを検出し、その画面の明るさを示す信号をカメラ制御用マイコン１３０に出力する。カメラ制御用マイコン１３０は、画面の明るさが所定の明るさになるようにアイリスドライバ１３６及びアイリスメータ１３８を介してアイリス１０５を制御する。なお、アイリス１０５の開度はアイリスセンサ１３９によって検出され、その開度を示す信号はカメラ制御用マイコン１３０に加えられている。また、アイリス１０５によって画面の明るさが制御できない場合には、カメラ制御用マイコン１３０はＡＧＣ回路１４２に制御信号を出力して画像信号のゲインを制御する。
【００３４】
次に、光学式ファインダ１２について説明する。
図５に示すように、光学式ファインダ１２は、主として被写体に対向する対物レンズ１６０、焦点距離の変更を行う前ズームレンズ１６２及び後ズームレンズ１６４、適宜な固定レンズ１６６、接眼レンズ１６８により構成されており、これらのレンズはほぼＬ字形状のファインダ筒１７０の内部に配置されている。
【００３５】
上記ファインダ筒１７０の先端部には、前記対物レンズ１６０が止着されている。この対物レンズ１６０の後方では前ズームレンズ１６２が前レンズ枠１７２のマウント部１７２Ａに保持され、その後方では後ズームレンズ１６４が後レンズ枠１７４のマウント部１７４Ａに保持されている。
そして、上記前ズームレンズ１６２及び後ズームレンズ１６４の側方には光軸Ｓの方向とほぼ平行にガイド棒１７６が設けられており、このガイド棒１７６はファインダ筒１７０の側壁により支持されている。前記レンズ枠１７２、１７４はマウント部１７２Ａ、１７４Ａの側部に摺動筒１７２Ｂ、１７４Ｂが一体的に連結されて構成されており、これらの摺動筒１７２Ｂ、１７４Ｂはガイド棒１７６に挿通されている。また、上記マウント部１７２Ａ、１７４Ａの側部には案内突起１７２Ｃ、１７４Ｃが形成されており、前記ファインダ筒の側壁に形成された案内孔１７０Ａに係合されている。なお、上記摺動筒１７２Ｂ、１７４Ｂには、係合部として係合突起１７２Ｄ、１７４Ｄが突設されている。さらに、上記摺動筒１７２Ｂ、１７４Ｂ同士を連結して引張バネ１７８が張設されており、上記レンズ枠１７２、１７４同士が互いに近接する方向に付勢されている。
【００３６】
一方、前記ガイド棒１７６に隣接して該ガイド棒１７６にほぼ平行なカム軸１８０が設けられており、このカム軸１８０はファインダ筒１７０の側壁に回動自在に支持されている。このカム軸１８０にはほぼ円筒形状のズームカム１８２が嵌合されており、ズームカム１８２の両端部にはカム面１８２Ａが形成されている。このカム面１８２Ａには前記レンズ枠１７２、１７４の係合突起１７２Ｄ、１７４Ｄが当接されており、上記カム面１８２Ａに沿って係合突起１７２Ｄ、１７４Ｄが案内されている。ここで、前記前ズームレンズ１６２と後ズームレンズ１６４とが所定の光学的関係を維持しながら焦点距離が変更されるように、且つ最大倍率を越えてさらにズームカム１８２が回転する場合には、最大倍率が維持されるように上記カム面１７２Ａが形成されている（図４参照）。
【００３７】
そして、前記カム軸１８０の一端部はファインダ筒１７０の外部に突出されており、ギア１８４が嵌合されている。このギア１８４は、図４に示したようにズームモータ１１２の回動軸にギア１１４、１１６を介して連係されている。このため、後述するように３倍ズームまでは光学式ファインダ１２の焦点距離の変化と、撮影レンズ１０の焦点距離の変化とがほぼ一致するように構成されている。
【００３８】
一方、前記後ズームレンズ１６４の後方には視野枠板１８６が配置されており、前記ファインダ筒１７０の角部には光軸Ｓを曲折する反射鏡１８８が設けられている。この反射鏡１８８の側方には前記固定レンズ１６６が配置されており、その適宜位置にファインダシャッタ１９０が配置されている。
上記ファインダシャッタ１９０はほぼ平板形状のシャッタ板１９２により構成されており、このシャッタ板１９２の上端辺部には回動軸１９２Ａが形成されている。回動軸１９２Ａは前記ファインダ筒１７０の側壁の切欠部１７０Ｂに回動自在に支持されており、この回動軸１９２Ａの一端は上記ファインダ筒１７０の外部に突出されてレバー部１９２Ｂが形成されている。すなわち、上記シャッタ板１９２は光軸Ｓに対してほぼ垂直になって光路を遮断してシャッタが閉じた状態と、光軸Ｓに対してほぼ平行に跳ね上がって光路の遮断を解除してシャッタが開いた状態とに回動自在とされている。また、上記回動軸１９２Ａには巻バネによる戻りバネ１９４が設けられており、上記シャッタ板１９２を閉成する方向に付勢している。
【００３９】
上記レバー部１９２Ｂには、レバー１９６の下端部１９６Ａが係合し、また、レバー１９６の上端部１９６Ｂは、液晶モニタ１６のロック爪１６Ｂによって矢印Ａに示す方向に押圧されるようになっている。従って、液晶モニタ１６を閉じると、レバー１９６は図５上で支軸１９６Ｃを中心にして反時計回り方向に回動し、シャッタ板１９２をバネ付勢力に抗して跳ね上がって開放させる。一方、液晶モニタ１６を開放すると、シャッタ板１９２は戻りバネ１９４の付勢力によって閉成される。
【００４０】
また、レバー１９６の上端部１９６Ｂに対向してモード切換えスイッチ１９８が設けられており、上記と同様に液晶モニタ１６の開閉に応じてオンオフされる。このモード切換えスイッチ１９８は、液晶モニタ１６を使用する通常モードと、光学式ファインダ１２を使用する節電モードのうちのいずれかを選択するためのスイッチであり、液晶モニタ１６が開放されると通常モードにし、液晶モニタ１６が閉成されると節電モードにする。
【００４１】
そして、これらのモードに応じてカメラ本体の制御装置に接続された電気回路の断続等が行われる。すなわち、通常モードでは液晶モニタが点灯され、節電モードでは上記液晶モニタが消灯される。
なお、本実施例では、液晶モニタ１６の開閉動作に応じてファインダシャッタ１９０の開閉を機械的に行う構造としているが、上記モード切換えスイッチ１９８又は撮影者によって適宜操作される他のスイッチによりモータ等を駆動してファインダシャッタの開閉を行う構造としてもよい。
【００４２】
また、ファインダ筒１７０の基端部には光軸Ｓをほぼ直角に曲折するプリズム１９９が収容されている。そして、このプリズム１９９の射出面に対向して、前記接眼レンズ１６８が配置されている。さらに、Ｌ字形状のファインダ筒１７０によってデッドスペースが形成されるが、このデッドスペースには、ステレオマイク１４、操作パネル部５０のスイッチ基板（図示せず）等が配設されているため、スペースが有効に利用されている。
【００４３】
以上により構成した本発明に係るカメラの実施例の作用を、以下に説明する。撮影者がカメラの電源スイッチ４０をオンすると、撮影可能な状態で待機される。そして、被写体像は撮影レンズ１０を透過してＣＣＤ１４０によりとらえられる。モード切換えスイッチ１９８が通常モードに設定されている場合、すなわち、図６に示すように液晶モニタ１６が実線に示すように開放された位置▲１▼にある場合は、上記画像は液晶モニタ１６に表示されており、撮影者はこの液晶モニタ１６で画像を確認しながら撮影を行うことができる。
【００４４】
この通常モードでは、図５で説明したようにシャッタ板１９２は戻りバネ１９４の付勢力によって光軸Ｓとほぼ垂直な状態となっている。このため、光学式ファインダ１２の光路が遮られて、ファインダシャッタ１９０は閉成された状態となっており、撮影者が光学式ファインダ１２を覗いても被写体像を確認することはできない。
【００４５】
ところで、バッテリーの容量が残り少ないとき等に、モード切換えスイッチ１９８を節電モードに切り換える場合には、図６に示すように液晶モニタ１６を破線に示すように閉成された位置▲２▼にする。この液晶モニタ１６の閉成動作に連動してレバー１９６が回動し、このレバー１９６によってモード切換えスイッチ１９８が節電モードに切り換えられ、また、シャッタ板１９２のレバー部１９２Ｂを介してシャッタ板１９２が戻りバネ４６の付勢力に抗して跳ね上げられ、シャッタ板１９２が光軸Ｓとほぼ平行な状態となり、光路の遮断が解除される。そして、被写体像が対物レンズ１６０、前ズームレンズ１６２、後ズームレンズ１６４、固定レンズ１６６、接眼レンズ１６８等を透過されて、撮影者にとらえられる。
【００４６】
また、上記モード切換えスイッチ１９８の節電モードへの切り換えにより電気回路が断続され、液晶モニタ１６が消灯される。このため、撮影者は光学式ファインダ１２のみにより、被写体像を視認することになる。
ここで、撮影者がズームボタン２４を操作すると、ズームモータ１１２が駆動され、図４に示したように撮影レンズ１０側のズームカム１１８と、光学式ファインダ１２側のズームカム１８２とが同時に回転する。
【００４７】
撮影レンズ１０側のズームカム１１８が回転すると、バリエータレンズ１０２が進退して被写体像が変倍され、またバリエータレンズ１０２の位置（ズーム位置）に応じてフォーカスレンズ１０６が制御され、ピントが外れないようにされる。
また、光学式ファインダ１２側のズームカム１８２が回転すると、ズームカム１８２のカム面１８２Ａに当接される各係合突起１７２Ｄ、１７４Ｄがカム面１８２Ａに案内されて光軸Ｓの方向に移動される。そして、レンズ枠１７２、１７４に保持される前ズームレンズ１６２と後ズームレンズ１６４とが、所定の光学的関係を維持しながら移動されて、光学式ファインダ１２の焦点距離が変更される。
【００４８】
このようにして、上述した撮影レンズ１０の焦点距離の変更と光学式ファインダ１２の焦点距離の変更とは、ほぼ一致して行われる。
ここで、上記撮影レンズ１０の可変焦点レンズ装置は１０倍ズームであり、前記液晶モニタ１６ではその変更範囲の全ての焦点距離の画像を確認することができるのに対して、前記光学式ファインダ１２の可変焦点レンズ装置は３倍ズームであるので、撮影レンズ１０の全ての焦点距離の画像をほぼ等しい画角でとらえるとはできない。
【００４９】
このため、上記撮影レンズ１０の焦点距離の変更範囲は、3.3 ｍｍ〜３３ｍｍであるが、４ｍｍ〜１２ｍｍに縮小し、上記光学式ファインダ１２の焦点距離の変更範囲（４ｍｍ〜１２ｍｍ）に合わせる。すなわち、カメラ制御用マイコン１３０は、モード切換えスイッチ１９８によって節電モードに切り換えられると、上記３倍ズームを越える焦点距離の変更範囲については撮影レンズ１０の焦点距離が設定されないように、撮影レンズ１０のレンズ移動機構に制限を与える。
【００５０】
また、通常モード時において、撮影レンズ１０が３倍ズームを越えて駆動される場合には、光学式ファインダ１２のレンズ枠１７２、１７４の各係合突起１７２Ｄ、１７４Ｄはズームカム１８２のカム面１８２Ａの平坦部分に位置するようになり、これによりズームカム１８２が回動しても、３倍ズームの状態で前ズームレンズ１６２と後ズームレンズ１６４とが静止している。
【００５１】
そして、通常モードから節電モードに切り換えられた時に、撮影レンズ１０が３倍ズームを越えた状態にある場合には、撮影レンズ１０は直ちに３倍ズームとなるように戻され、光学式ファインダ１２の倍率と一致させられる。
このように本実施例によれば、節電モード時には、撮影レンズ１０の焦点距離の変更範囲を縮小して、光学式ファインダ１２の焦点距離の変更範囲とほぼ一致させるので、撮影レンズ１０の焦点距離が光学式ファインダ１２の焦点距離の変更範囲を越えて設定されることはない。このため、光学式ファインダ１２により視認される画像と実際に撮影される画像とが常にほぼ一致するので、光学式ファインダ１２と撮影レンズ１０との焦点距離の変更範囲の格差にかかわらず的確な撮影を行うことができる。
【００５２】
また、節電モードの場合には液晶モニタが消灯されるので、効果的な節電を行うことができる。このため、バッテリーの寿命が延長されて、バッテリー交換の手間を減少させることができる。
さらに、通常モードではファインダシャッタ１９０が閉成されるので、撮影者が誤って光学式ファインダ１２を覗いても被写体像をとらえることができず、被写体像は液晶モニタ１６により確認することになる。このため、上記光学式ファインダ１２の焦点距離の変更範囲を越えて撮影レンズ１０の焦点距離が変更されていても、光学式ファインダ１２で誤った画角の画像をとられることはなく、液晶モニタ１６により撮影レンズ１０とほぼ等しい画角で被写体像をとらえることができる。
【００５３】
また、本実施例では、ファインダシャッタ１９０の構造を、回動自在なシャッタ板１９２により構成したので、構造が簡易で容易に組み立てることができ、製作費が大きく増大することはない。
なお、上記ファインダシャッタ１９０の構造は、光路を遮断自在な構造であれば他の構造であってもよい。例えば、上下方向または横方向に摺動自在なシャッタ膜により構成することができる。この場合、光路の方向にスペースを取ることなく収容されるので、ファインダ光学系の光路長の短縮化を図ることができる。
【００５４】
また、電気信号のオンオフにより光線の透過と遮蔽とが行われる液晶透過板により構成することもできる。この場合は、可動部材がないので電気的に容易に制御することができ、ファインダシャッタの長寿命化を図ることができる。
なお、いずれの構造であっても、光学式ファインダの光路上のいかなる位置にファインダシャッタを設けてもよい。例えば、本実施例のように上記光路のほぼ中間部に配設した構造や、アイピースシャッタのように接眼レンズ１６８の近辺に設けた構造や、レンズバリアのように対物レンズ１６０の外部に設けた構造とすることができる。
【００５５】
【発明の効果】
以上説明したように本発明に係るカメラによれば、光学式ファインダの光路を遮断自在なシャッタを設け、モニタを作動させる時は上記シャッタを閉成して上記光路の遮断を行う構造しているので、撮影者が光学式ファインダを覗いても被写体像をとらえることはできず、被写体像はモニタにより確認することになる。一方、モニタを作動させない時は上記シャッタを開放して上記光路の遮断を解除する構造としたので、例えば節電モードを設定してモニタを作動させずに節電を行う時に、光学式ファインダを用いて被写体像を確認することができる。このため、効果的な節電を行いながら撮影を続行することができる。
【００５６】
また、前記モニタとして液晶モニタをカメラ本体に対して開閉自在に配設することにより、この液晶モニタの開閉動作に基づいて光学式ファインダと液晶モニタとの切換え、及び液晶モニタのオンオフを自動的に行うことができ、操作が分かりやすいという利点がある。さらに、液晶モニタを閉じると、その表示画面がカメラ本体によって遮蔽されるため、モニタ画面を保護することができる。
【００５７】
さらにまた、モニタと光学式ファインダのうちいずれか一方のみを使用可能に使い分けているため、光学式ファインダを実用的なズーム比にするとともに撮影光学系のズーム比を光学式ファインダよりも大きくとることができ、前記シャッタを開放した時は、撮影光学系の焦点距離の変更範囲を前記光学式ファインダの光学系の焦点距離の変更範囲にほぼ一致させる構造としたため、上記撮影光学系の焦点距離が上記光学式ファインダの焦点距離の域を越えて変更されることはない。一方、前記シャッタを閉成した時は、上記撮影光学系の焦点距離の変更範囲が上記光学式ファインダの焦点距離の変更範囲を越えて撮影レンズの焦点距離が変更された場合であっても、光学式ファインダで誤った画像をとらえることはなく、上記モニタにより実際に撮影される画像をとられることができる。
【００５８】
また、前記シャッタの一端部に回動軸を設けて回動自在としたほぼ平板形状のシャッタ板により構成した場合は、構造が簡易で容易に組み立てることができ、製作費が大きく増大することはない。
そして、前記シャッタを開閉自在なシャッタ膜により構成した場合は、光路の方向のスペースを取ることがなく収容されるので、ファインダ光学系の光路長の短縮化を図ることができる。
【００５９】
また、前記シャッタを電気信号のオンオフにより光線を透過または遮断する液晶透過板により構成した場合は、可能部材がないので電気的に容易に制御することができ、ファインダシャッタの長寿命化を図ることができる。
なお、本発明に係るカメラは、従来のカメラのファインダにシャッタを設けることにより構成されているので、他の部材を改良する必要はない。このため、従来のカメラのファインダの部品をそのまま利用することができ、製造費が大幅に増大することはない。
【図面の簡単な説明】
【図１】図１は本発明に係るカメラを前面側から見た斜視図である。
【図２】図２は本発明に係るカメラを裏面側から見た斜視図である。
【図３】図３は図１及び図２に示したカメラの平面図である。
【図４】図４は図１に示したカメラの撮影レンズ及び光学式ファインダの一部断面図である。
【図５】図５は図１に示したカメラの光学式ファインダの構造を示す斜視図である。
【図６】図６は本発明に係るカメラの要部ブロック図である。
【符号の説明】
１０…撮影レンズ
１２…光学式ファインダ
１４…ステレオマイク
１６…液晶モニタ
１６Ｂ…ロック爪
１０２…バリエータレンズ
１０６…フォーカスレンズ
１１２…ズームモータ
１１８、１８２…ズームカム
１２０…フォーカスモータ
１３０…カメラ制御用マイコン
１４０…ＣＣＤ
１６２…前ズームレンズ
１６４…後ズームレンズ
１７０…ファインダ筒
１９０…ファインダシャッタ
１９２…シャッタ板
１９４…戻りバネ
１９６…レバー
１９８…モード切換えスイッチ
【図１】
0003755610.tif 000002
【図２】
0003755610.tif 000003
【図３】
0003755610.tif 000004
【図４】
0003755610.tif 000005
【図５】
0003755610.tif 000006
【図６】
0003755610.tif 000007